(57)【要約】【課題】  手動を電動にしただけの歯ブラシしかない。【解決手段】  本発明は、毛部と、振動板と、振動板にとりつけられた振動源と、を備えたヘッド部と、ヘッド部が取り付けられるとともに、可聴域における非離散的な信号を含む供給信号を供給する回路を備えたボディ部と、を備えたブラシである。【選択図】図１０
2020018827.tif 000002
【特許請求の範囲】
【請求項１】
毛部と、振動板と、振動板にとりつけられた振動源と、を備えたヘッド部と、ヘッド部が取り付けられるとともに、可聴域における非離散的な信号を含む供給信号を、前記振動源に供給する回路を備えたボディ部と、を備えたブラシ。
【請求項２】
前記振動源は前記振動板を直にあるいは間接的に湾曲させる請求項１に記載のブラシ。
【請求項３】
前記振動源が振動して、前記毛部が振動するとともに、前記振動板から音声が発生する請求項１に記載のブラシ。
【請求項４】
前記供給信号には、超音波帯域の信号が含まれる請求項１に記載のブラシ。
【請求項５】
前記供給信号には楽曲信号を含む請求項１に記載のブラシ。
【請求項６】
前記供給信号は駆動アンプにより所定の周波数域を増幅した強化信号として前記振動源に供給される請求項１に記載のブラシ。
【請求項７】
ボディ部に取り付けられるとともに、
毛部と、振動板と、該振動板にとりつけられ、可聴域における非離散的な信号を含む供給信号により振動する振動源と、を備えたヘッド部からなるブラシ用の交換部材。
【請求項８】
ブラシの毛部を振動させて対象物を磨くと同時に、ブラシの毛部から伝達された振動により対象物を振動させて、可聴域における非離散的な音声を発生させるブラシの使用方法。
【発明の詳細な説明】
【技術分野】
【０００１】
本発明は、ブラシに関するものである。
【背景技術】
【０００２】
例えば、歯ブラシは、電動のものが販売されている。
【先行技術文献】
【特許文献】
【０００３】
【特許文献１】特開２００３−６１９８６
【発明の概要】
【発明が解決しようとする課題】
【０００４】
しかし、単に手動を電動にした歯ブラシである。
【課題を解決するための手段】
【０００５】
本発明のブラシは、毛部と、振動板と、振動板にとりつけられた振動源と、を備えたヘッド部と、ヘッド部が取り付けられるとともに、可聴域における非離散的な信号を含む供給信号を供給する回路を備えたボディ部と、を備える。
【発明の効果】
【０００６】
本発明によれば、新規なブラシを提供できる。
【図面の簡単な説明】
【０００７】
【図１】第１の構造例を示す断面図である。
【図２】第２の構造例を示す断面図である。
【図３】第３の構造例を示す断面図である。
【図４】第４の構造例を示す断面図である。
【図５】一例にかかるブロック図である。
【図６】特定の周波数帯において強調補正をした場合としない場合とにおける、信号処理補正特性を示す図である。
【図７】特定の周波数帯において強調補正をした場合としない場合とにおける、周波数特性を示す図である。
【図８】可聴域の周波数帯と、超音波域周波数帯において動作するように設定された供給信号の周波数特性を表す図である。
【図９】各構造例における周波数特性対フォースレベルを示すグラフである。
【図１０】第５の構造例を示す断面図である。
【発明を実施するための形態】
【０００８】
以下、本発明の実施の形態について説明する。
【０００９】
図１〜図４は実施形態に係るブラシの断面図である。ブラシは歯ブラシを例に説明するが、その他のブラシであってもよい。
【００１０】
たとえば、歯ブラシは、大きく分けて３つの部材からなっていてもよい。一つ目は毛部を備えたヘッド部Ｈである。２つ目は、持ち手の部分、つまり把柄部を備えたボディ部Ｂである。３つめはたとえば乾電池の場合は不要であるが、充電可能なバッテリの場合に便利な充電台Ｄである。
【００１１】
以下、図１〜３を用いて説明する。なお、把握の容易化のために、各図における縮尺は、適宜、変更している。
【００１２】
図１の構造例１を参照して説明する。ヘッド部Ｈは、毛部１１、振動板１２、圧電素子２２、電極パッド２３を備えている。
【００１３】
毛部１１は、たとえば、直径が０．１〜０．４ｍｍ程度のナイロン製のひもの集合体からなる。毛部１１は、概ね３０〜４０ｍｍの長さの前記ひもを１５〜２０本程度の束にした後、束の真ん中で２つ折りにして、後述する振動板１２の穴に挿入される。すなわち、挿入後には、一つの穴に対して、ひもを３０〜４０本程度の束にしたものが一つ入っている。挿入後の毛部１１は、長さをそろえるためにカットされる。カット後の振動板１２から突出した毛部１１の先端までの長さはたとえば０．７ｍｍから１３ｍｍである。平坦なカット面でもよく、のこぎりの歯状のギザギザしたカットでも良い。
【００１４】
振動板１２は、たとえばアクリルやポリカーボネート等のプラスティック素材からなっていてもよい。振動板１２の表面には、前述した毛部１１を埋め込むために、直径１．３ｍｍ〜２．１ｍｍ程度の穴が、おおよそ２４個から３６個程度設けられている。
この穴に先の毛部１１が押し込まれている。この振動板１２は、一例として、穴が設けられた面（穴側の面という）の縦の寸法が１５〜３５ｍｍ、横の寸法が８〜１５ｍｍ、先の面に直交する厚みが、圧電素子２２の厚みを含んで、２〜１０ｍｍであってもよい。
【００１５】
振動板１２の内部には、圧電素子２２が埋め込まれている。なお、振動板１２は、ブラシの毛部１１を配置する板状の部分があればよく、必ずしも全体が板状であるものに限定されない。
【００１６】
圧電素子２２は、板状をなしており、最も大きな面（以下、第１面という）が先の穴側の面に対向して配置されている。そして、第１面の縦の寸法は、穴側の面の縦の寸法（１５〜３５ｍｍ）のおおよそ０．５倍〜０．９倍であってもよい。圧電素子の第１面の横の寸法は、穴側の面の横の寸法（５〜１５ｍｍ）のおおよそ０．５倍〜０．９倍であってもよい。圧電素子の厚みは、おおよそ０．３〜２．０ｍｍ程度であってもよい。
【００１７】
圧電素子２２は、供給信号（電圧）を印加することで、構成材料の電気機械結合係数に従い伸縮または屈曲（湾曲）する素子である。これらの素子は、例えばセラミック製や水晶からなるものが用いられる。圧電素子２２は、ユニモルフ、バイモルフまたは積層型の圧電素子であってよい。積層型の圧電素子には、ユニモルフを積層した（たとえば１６層〜４４層程度積層した）積層型ユニモルフ素子、またはバイモルフを積層した（たとえば１６層〜４４層程度積層した）積層型バイモルフ素子が含まれる。積層型の圧電素子は、例えばＰＺＴ（チタン酸ジルコン酸鉛）からなる複数の誘電体層と、該複数の誘電体層間に配置された電極層との積層構造体から構成される。圧電素子２２は、まずは、第１面側が先の縦の方向に沿って伸びると同時に、第１面とは逆側の面が先の縦の方向に沿って縮むことにより、厚み方向に湾曲する。次に第１面側が先の縦の方向に沿って縮むと同時に、第１面とは逆側の面が先の縦の方向に沿って伸びることにより、厚み方向に先ほどとは逆側に湾曲する。これを繰り返すことによる振動を発生させる。また、圧電素子２２につながる電極配線が電極パッド２３に接続されている。
【００１８】
圧電素子２２は、後述する供給信号に応じて湾曲する。そして圧電素子２２の湾曲に応じて、振動板１２が湾曲するように振動する。これにより毛部１１も振動してブラシとして機能する。
【００１９】
電極パッド２３は、振動板１２の一方側の端部において、表面に露出して形成されている。この電極パッド２３は、振動板１２の一方側の端部が、後述するボディ部Ｂ内に挿入されたときに、ボディ部Ｂの電極パッド３３に電気的に接続される。
【００２０】
ボディ部Ｂは、持ち手となる把柄部３１、制御系やメモリ等を搭載した基板３２、先の電極パッド３３、キャップ部４０、バッテリ３５、操作部３４を含んで構成されてもよい。
【００２１】
把柄部３１は、たとえば筒状をなしており、その内部に前記振動板１２の一方側の端部が挿入されるため、ヘッド部Ｈの支持部としての機能を有する。また、把柄部３１は、ユーザが手に持つための柄の機能を有している。また、内部に基板３２やバッテリ３５等を収納する筐体としての機能を有していてもよい。把柄部３１は、振動板１２と同じように、プラスティック材料からなっていてもよい。あるいは把柄部３１は、アルミニウムやステンレス等の金属材料や強化ガラスからなっていてもよい。把柄部３１の長さは、たとえば１０ｃｍ〜２５ｃｍ程度である。把柄部３１の筒状の外側の直径は、おおよそ１〜３ｃｍ程度である。把柄部３１は、ヘッド部Ｈの一端が収納される筒状の内側の径は、おおよそ０．５〜２ｃｍ程度である。なお、この寸法に限られない。ヘッド部Ｈの一端が収納された状態では、基板３２等のある空間は密閉されるとよい。たとえば、ヘッド部Ｈの一端の直径（外径）と、把柄部３１の内側の径とを合わせこむか、あるいはパッキン等を用いて防水構造が実現されている。
【００２２】
基板３２は、防水構造が実現された筒状の内部の空間に収納できる。基板には、図５のブロック図であらわされた各機能部が搭載される。たとえば、基板３２は、信号生成部３６、駆動アンプ３７、メモリ３８などが搭載される。
【００２３】
電極パッド３３及び電極パッド２３等を通じて、圧電素子２２に駆動信号が供給される。駆動信号はたとえば図７，図８のような周波数特性を持つ。
【００２４】
操作部３４は、ブラシのＯＮ・ＯＦＦを切り替える電源スイッチ（たとえばボタンスイッチ）と、音量調整する調整スイッチ（たとえば＋ボタン・−ボタン）とを含んでもよい。これらのスイッチは把柄部３１に配置されている。ユーザが把柄部３１の外側から各スイッチを操作可能である。たとえば、把柄部３１の外側表面に防水シートを貼付し、その内側にこれらのスイッチが設けられてもよい。
【００２５】
バッテリ３５は、把柄部３１の内部に収納されている。そして電極パッド４３から供給される電力を蓄えるともに、後述する操作部３４を介してのユーザの操作に応じて基板３２へと電力を供給する。バッテリ３５は乾電池でも良い。
【００２６】
キャップ部４０は、把柄部３１のヘッド部Ｈの挿入される側とは逆側の端部に取り付けられる。キャップ部４０は、バッテリ３５や基板３２が配置されている内部の空間を密閉する。また、キャップ部４０の表面に露出する側の面には、電極パッド４３が設けられている。
【００２７】
電極パッド４３は、充電台Ｄの電極パッド５３からの電力をバッテリへと伝達する電力線回路の一部を構成する。また、電極パッド４３は、供給信号や音楽データ等をメモリ３８に書き込むための信号線回路の一部を構成する。
【００２８】
充電台Ｄは、筐体５１、基板５２、電極パッド５３及びプラグ５４を備える。充電台Ｄの筐体５１は、ボディ部Ｂを搭載可能な平板上の主面を備える。主面には電極パッド５３が配置されており、ボディ部Ｂの電極パッド４３と電気的に接続される。筐体５１の内部には、基板５２が配置されており、プラグ５４からの商用電源からの電力を交流から直流に変換し、また、直流となった電力の変圧機能を備える。
【００２９】
なお、ヘッド部Ｈの毛部１１が摩耗したり、劣化により交換するときには、新しいヘッド部Ｈだけを購入して、電極パッド２３と３３とを接合することにより、新たに使用することができる。
【００３０】
次に図２を参照しながら構造例２を説明する。特に図１との変更点を中心に説明する。図１の構造例１と異なる点は特にヘッド部Ｈの構造である。
構造例２のヘッド部Ｈは、毛部１１と振動板１２とで構成される第１パーツと、筐体２１と、圧電素子２２と、電極パッド２３、配線等を備える第２パーツとからなる。
第１パーツと第２パーツとは接着部材１３により接合されている。接着部材１３は、たとえば熱硬化性、ＵＶ硬化性等、両面テープ等が使用可能である。
第２パーツの筐体２１は、凹部と、凹部を密閉する蓋部材とからなる。蓋部材には圧電素子２２が接着部材１３により取り付けられている。つまり凹部内には圧電素子２２が収納されている。凹部内には圧電素子２２の湾曲を阻害しないように、空間Ｓが設けられている。すなわち凹部の深さは、圧電素子２２の湾曲時の最大振幅、圧電素子２２の厚み、接着部材１３の厚み及び収縮率を計算して設計されている。
凹部と蓋部材とは、圧電素子２２と蓋部材とを接合した接着部材１３と同じ接着部材１３により接合されている。もちろん、それぞれが別の接着部材により接合されてもよい。凹部と蓋部材とは、また接着部材を使用せず、熱溶着や超音波溶着でもよい。
【００３１】
第２の構造例では、ヘッド部Ｈが、第１パーツと第２パーツとに分かれているために、たとえば、毛部１１が劣化や摩耗によって交換されるときに、ヘッド部Ｈの第１パーツだけを交換すればよく、第２パーツを摩耗した第１パーツとともに廃棄しなくてもよい。そのため、環境に優しいブラシを提供できる。
【００３２】
次に図３を参照しながら構造例３を説明する。特に図１、図２との変更点を中心に説明する。図１、図２の構造例１、２と異なる点は特にヘッド部Ｈの構造である。
【００３３】
構造例３は、毛部１１、振動板１２、接着部材１３、筐体２１、圧電素子２２、電極パッド２３などからなる。圧電素子２２は、振動板１２に接着部材１３を介して接合されている。そして、振動板１２は、毛部１１の支持部材である一方、圧電素子の支持部材でもあり、また筐体２１の蓋部材にもなっている。圧電素子２２が振動板１２を直に湾曲させるので、図２の構造例に比較して強い振動が得られやすい。一方、図２のようにパーツに分かれていないので、メンテナンス性は図２の構造例のほうがよい。図２と同様に筐体２１の凹部の深さは、湾曲を干渉しない空間Ｓを構成するように、圧電素子２２の湾曲時の最大振幅、圧電素子２２の厚み、接着部材１３の厚み及び収縮率を計算して設計されている。
【００３４】
次に  図４を参照しながら構造例４を説明する。図４の２つの実施例では、図１，図２，図３の板状の圧電素子とは異なり、縦長（縦：毛部の延在方向）の圧電素子２２，２２Ｌ，２２Ｒを用いている。この圧電素子２２，２２Ｌ，２２Ｒは、たとえば一辺の径が１ｍｍ〜１０ｍｍのセラミック層を縦方向に０．５ｍｍ〜５ｍｍ積層した焼結体からなる。先の圧電素子とは異なり、その圧電素子２２，２２Ｌ，２２Ｒは電圧の印加に伴い、縦方向に伸縮を繰り返す。図４の上の例では、筐体２１の空間内に柱状に配置された圧電素子２２が縦方向に伸縮する。この伸縮運動に対応して、振動板１２が湾曲する振動をする。これを繰り返して、毛部１１を振動させることができる。
【００３５】
また、図４の下の例では、たとえば右の圧電素子２２Ｒと左の圧電素子２２Ｌと２つの圧電素子を用いている。両者が同じ動きをするように電圧を印加して、振動板１２を縦方向に往復運動をさせてもよい。これを繰り返して、毛部１１を振動させることができる。あるいは、右の圧電素子２２Ｒと左の圧電素子Ｌとに逆の電圧を印加してもよい。この場合、最初、圧電素子２２Ｒが伸びたときには圧電素子Ｌ２２Ｌが縮むことになり、これにより振動板１２は、右側が縦方向の上に上がり、左側が縦方向の下に下がることになる。また次の瞬間には、図に示した矢印のように、圧電素子２２Ｒが縮むときには圧電素子Ｌ２２Ｌが伸びることになり、右側が縦方向の下に下がり、左側が縦方向の上側にあがる。これを繰り返して、毛部１１を振動させることができる。もちろん、図４のいずれの実施例でも振動と同時に音声が再生できる。
【００３６】
次に図５の実施例を、回路構成等の電気的な接続関係を含めて説明する。
充電台Ｄは、たとえば１００ｖ、１．５Ａ、５０／６０Ｈｚの商用電源に接続されるプラグ５４をそなえる。プラグ５４から供給される電力は、基板５２に搭載されたＡＤ変換機及び変圧器を通して、適切な電圧、たとえば５ｖ〜２０ｖ、１Ａ〜５Ａの直流電流に変換される。
基板５２からの直流電力は、電極パッド５３，４３を介して、バッテリ３５に蓄積される。
【００３７】
ボディ部Ｂは、電極パッド４３、操作部３４、バッテリ３５、メモリ３８、信号生成部３６、駆動アンプ３７、電極パッド３３等を含んで構成される。
【００３８】
操作部３４は、ブラシのON・OFF切り替えスイッチ回路と、音量調整回路とを含んでもよい。さらには、楽曲選択のスイッチ回路を備えていてもよい。
バッテリ３５は、充電回路及び過充電防止回路を備えていてもよい。またサーミスタを備えていてもよい。
【００３９】
メモリ３８は、圧電素子を駆動するための信号を記憶する。具体的には、可聴域において所定の周波数帯域からなる信号、すなわち可聴域の周波数において離散的でない、連続的な広がりを有する信号を含んで記憶する。この非離散的な信号とは、信号の周波数特性を示すグラフにおいて、周波数Ｆ（Ｈｚ）＝１０×ｎ  ：  （ｎは１〜２０００の整数）とあらわしたときに有意な信号となる整数ｎが３つ以上連続して存在する（たとえばｎ＝２０，２１，２２のそれぞれにおいて、供給信号が出力される）ものをいう。この非離散的な信号は、たとえばアナログやデジタルの音声信号である。音声信号には、楽曲信号や人間の会話データ、歌声等が含まれてよい。ただし、音響の分野でいわゆる純音（pure tone）といわれるような単一の周波数だけを提示する信号や、たとえばモータ等に単一の回転数で駆動させるための駆動信号はここでいう非離散的な信号には含まれない。また、複数の純音だけからなる信号も離散的であるため含まれない。たとえば２００Ｈｚの純音と１０ｋＨｚの純音だけからなる信号も、上記の式において、ｎが２つ（ｎ＝２０、ｎ＝１０００）しかなく且つ互いのＡは連続していないため、非離散的な信号には含まれない。
【００４０】
また、メモリに記憶される信号は、たとえば２０ｋＨｚ超から１００ｋＨｚまでの周波数に対応する超音波信号をさらに含んでいてもよい。超音波信号は離散的であってもよい。
【００４１】
またメモリに記憶された信号は、符号化圧縮がされていてもよい。
【００４２】
これらの信号を記憶するためのメモリ３８は、不揮発性メモリであってもよい。たとえば、キャップ３４を取り外して、内部に取り外し可能なメモリとして、たとえばＳＤメモリカード（ＳＤＨＣ，ＳＤＸＣ、、、、）等でもよい。このＳＤメモリカードの場合、パーソナルコンピュータやスマートフォンにより、楽曲をメモリに書き込むことで、ユーザが好みの楽曲を歯ブラシにて再生することができるようにしてもよい。
【００４３】
信号生成部３６は、メモリ３８に記録された信号を圧電素子２２に供給する供給信号に変換する。なお、特に変換不要な場合もある。そして所定の周波数帯の強化等が行われたのち、駆動アンプ３７を経て、電極パッド３３，２３等を経て圧電素子２２へと供給される。
【００４４】
次に、圧電素子２２に供給する信号について説明する。圧電素子２２に供給される信号を供給信号とよぶ。たとえば供給信号も、上記のメモリに記録された信号のうち、非離散的な信号と同様に、周波数特性において所定の範囲で連続的な信号、すなわち所定の範囲で非離散的な信号を含むことになる。たとえば図６に示す供給信号のうち、基本信号Ｓ１（点線）は、４０Ｈｚから２０ｋＨｚまでの非離散的且つ平坦な周波数特性を有する信号である。この基本信号Ｓ１と比較して、低周波数帯、この場合は１００Ｈｚから５００Ｈｚまでの周波数特性をおおよそ２０ｄＢだけ強化した強化信号Ｓ２を、圧電素子２２に供給してもよい。この低周波数帯の信号パワーを局所的に上げることにより、ブラシング効果の向上が期待される。なお、この強化信号Ｓ２は、メモリ３８から出力された基本信号Ｓ１を、駆動アンプ３７にかける際に、強化したい周波数帯域をイコライザにて強める補正を行い（信号生成プロセス）、これを圧電素子２２に供給してもよい。もちろん、強化信号Ｓ２自体を最初からメモリに記憶してもおいてもよい。
【００４５】
次に、図７を用いて、歯ブラシから楽曲を出力させる場合の供給信号について説明する。信号は、たとえば楽曲の基本信号Ｓ３でもよい。この場合、圧電素子２２は、楽曲の基本信号Ｓ３に従い、湾曲振動を生じる。圧電素子２２の湾曲に沿って、たとえば図１〜図３の振動板１２が湾曲させられる。この湾曲を供給信号に応じて繰り返すことで、楽曲が再生される。この楽曲の基本信号Ｓ３と比較して、低周波帯、この場合は２００Ｈｚ付近から５００Ｈｚ付近までの周波数特性をおおよそ２０ｄＢだけ強化した強化信号Ｓ４を、圧電素子２２に供給してもよい。低周波数帯の信号パワーを上げることにより、ブラシング効果の向上が期待される。なお、この強化信号Ｓ４は、メモリ３８から出力された楽曲の基本信号Ｓ３を、駆動アンプ３７にかける際に、強化したい周波数帯域をイコライザにて強める補正を行い（信号生成プロセス）、これを圧電素子２２に供給してもよい。もちろん、強化信号Ｓ４自体を最初からメモリに記憶してもおいてもよい。なお、操作部３４の音量の調整スイッチのモードを切り替えることにより、操作されてもよい。モードの切り替えは、たとえば電源スイッチの長押しと短押しとでモードの切り替えを行ってもよい。具体的には、音量調整モードと、ブラシングの強度調整モードとを備えていてもよい。そして、音量調整モードのときに、調整スイッチが操作されると、楽曲全体のボリュームが上がるように、特定の周波数に関係なく、圧電素子２２に供給するパワーの大小が変更される。一方、ブラシングの強度調整モードの場合は、特定の周波数帯に対してだけ、圧電素子２２に供給するパワーの大小が変更される。もちろん、調整方法はこれに限られない。
【００４６】
図６、図７に示したように、圧電素子２２には、可聴域（１０Ｈｚから２０ｋＨｚまで）の所定の周波数特性の範囲において、デルタ関数的ではなく、且つ離散的ではない、連続的な信号が供給されてよい。これにより、たとえば可聴域の様々な周波数の振動を含む楽曲を供給信号として、音楽を聞かせることもできる。また、曲を変更することで、様々な周波数帯域の振動を得ることもできる。好みの音楽を聴きながら歯ブラシができてもよい。
【００４７】
さらには、圧電素子２２は、可聴域（１０Ｈｚから２０ｋＨｚまで）に加え、超音波帯（２０ｋＨｚ以上）でも振動させてもよい。たとえば図８に示すように、可聴域（１０Ｈｚから２０ｋＨｚまで）の連続的な振動に加え、５０ｋＨｚ付近で振動してもよい。この場合、超音波振動によるブラシングが可能となる。超音波振動を与える信号は純音であってもよいし、また離散的な信号でもよい。もちろん連続的、非離散的な信号でもよい。
【００４８】
次に、図１から図３の各構造例１，２，３に対応する周波数特性のグラフを例に、各構造例の動作などを説明する。いずれも歯ブラシをしながら音楽を聴くのに十分な振動が振動板１２において生じていることがわかる。測定は、人工マストイドと呼ばれる計測器に対して、ヘッド部Ｈの毛部１１を測定面におおよそ１Ｎで圧定した結果である。
【００４９】
構造例１では、圧電素子２２が振動板１２に埋め込まれているため、圧電素子２２が湾曲すると、振動板１２も湾曲する。この湾曲を上に凸、下に凸と周波数に応じて交互に繰り返すことで振動板１２が振動して歯ブラシとして使用されることとなる。同時に周波数に対応する音も発生する。曲や声を聴かせることもできる。圧電素子２２を、振動板１２を構成するアクリル等からなる樹脂材に埋め込んでいる。この構造は単純であるため、圧電素子の周辺の防水構造が容易に実現できるメリットがある。
【００５０】
図２の構造例２では、筐体１２の蓋部材に接着部材１３により圧電素子２２が取り付けられているため、圧電素子２２が湾曲すると、この筐体２１の蓋部材も湾曲する。蓋部材は接着部材１３により振動板１２に貼り付けられているため、結果として振動板１２は湾曲する。この圧電素子２２の湾曲を上に凸、下に凸と交互に繰り返すことで振動板１２も上に凸、下に凸と交互に湾曲するように振動して歯ブラシとして使用されることとなる。同時に周波数に対応する音も発生する。曲や声を聴かせることもできる。
振動板１２を含む第１パーツと筐体２１を含む第２パーツとをもちいるため、メンテナンス性に優れている。
【００５１】
図３の構造例３では、圧電素子２２は接着部材１３を介して振動板１２に貼り付けられている。このため、圧電素子２２が湾曲すると、振動板１２も湾曲する。この湾曲を上に凸、下に凸と周波数に応じて交互に繰り返すことで振動板１２が振動して毛部１１が振動し、歯ブラシとして使用されることとなる。同時に対応する音声も発生する。すなわち曲や声を聴かせることもできる。構造例３では、構造例２に比較して振動が強く出やすいメリットがある。
【００５２】
なお、上述したいくつかの例では平板状の圧電素子２２を用いて振動源としていたが、これに限られない。たとえば図４のように、一方向に積層されて、各積層された層が遠くなったり近くなったりすることにより前記一方向に伸び縮みをするスタック型と呼ばれる圧電素子を用いてもよい。また、そもそも圧電素子に限られない。たとえば振動源は、コイル型の振動素子でも良い。コイル型の振動素子は、スピーカで使用されるときのようにコーンを上下方向に振動させるのと同様に、振動板１２の下部に取りつけられ、上下方向（毛部１１がのびる縦方向）に沿って振動素子自体が上下移動し、この慣性力をもって、振動板１２を振動させてもよい。これによっても振動と音声とを同時に発現させることができる。
【００５３】
本発明では、ボディ部Ｂではなく、ヘッド部Ｈに圧電素子等の振動源を配置して振動板を湾曲させているために、歯にブラシを当てたときに歯が振動することに起因する音（歯における骨導音）をユーザが聴くことができる。つまり歯にブラシの毛部を当てた場合は、歯にブラシの毛部を当てていない場合に比較して、ユーザが聴く音が大きくなる。そのため、たとえば幼児が好んで音を出すように、歯にブラシを当てたがるようにすることができる。
【００５４】
なお、歯ブラシで説明したがこれに限られない。たとえば鍋等の調理器具を洗うためのブラシやデッキブラシ等でも良い。その場合、圧電素子やその他の構造部品も、用途に合わせて大型化すればよく、基本構造は変えなくともよい。また、ブラシの毛部がきちんと当たれば、当たったものが振動して音が聞こえるため、家事が楽しくなる。
【００５５】
また、図１０の実施例では、振動板１２と、フローティング部材１４と、筐体２１とが一体成型されている。なお、フローティング部材１４は、たとえばポリウレタンやシリコーン部材からなっている環状の部材からなっていてもよい。振動板１２と筐体２１との間に圧電素子２２の周囲を周回して介在される。これにより防水性を維持しつつ、振動板１２が振動しやすくなる。
【符号の説明】
【００５６】
Ｈ・・・ヘッド部
Ｓ・・・空間
Ｂ・・・ボディ部
Ｄ・・・充電台
１１・・・毛部
１２・・・振動板
１３・・・接着部材
１４・・・フローティング部材
２１・・・筐体
２２・・・圧電素子
２３・・・電極パッド
３１・・・把柄部
３２・・・基板
３３・・・電極パッド
３４・・・操作部
３５・・・バッテリ
３６・・・信号生成部
３７・・・駆動アンプ
３８・・・メモリ
４０・・・キャップ部
４３・・・電極パッド
５１・・・筐体
５２・・・基板
５３・・・電極パッド
５４・・・プラグ
【図１】
2020018827.tif 000003
【図２】
2020018827.tif 000004
【図３】
2020018827.tif 000005
【図４】
2020018827.tif 000006
【図５】
2020018827.tif 000007
【図６】
2020018827.tif 000008
【図７】
2020018827.tif 000009
【図８】
2020018827.tif 000010
【図９】
2020018827.tif 000011
【図１０】
2020018827.tif 000012